(57)【要約】【課題】ユーザがスキャンした画像に画像に対して追加料金の必要な付加価値の高い後処理の追加・削除を何時でも可能にし、それに伴う課金の増減に応じて、料金の徴収を柔軟に実施することを可能にする画像処理装置およびその課金処理方法を提供する。【解決手段】ＰＣから属性情報の変更の指示を画像処理サーバに送信する。画像処理サーバは属性情報の変更の指示に従って属性情報の変更を行い、これに応じて課金情報を変更することで、属性・課金データの変更を行い、属性情報の変更に対応するスキャン画像の追加処理を行い、変更した属性・課金データを電子メールの添付ファイルとしてＰＣに電子メールで送信する。ＰＣは電子メールを受け取り、属性・課金データを画像処理サーバに提示して決済し、追加処理されたスキャン画像を入手することができるようになる。【選択図】図１
2006092304.tif 000002
【特許請求の範囲】
【請求項１】
ネットワークを介してクライアントと複数の端末と接続する画像処理装置において、
前記クライアントから送信された画像と、画像に設定された属性情報と、該属性情報に応じた課金情報とを含む属性・課金データとを格納するファイルシステムと、
前記端末から前記属性情報の変更の指示を受け付けた際に、該指示に従う属性情報の変更、および該属性情報の変更に応じた課金情報の変更に伴い、前記属性・課金データの変更を行う属性・課金データ変更手段と、
前記属性・課金データ変更手段で変更した属性・課金データを前記端末に前記ネットワークを介して送信する属性・課金データ送信手段と、
前記属性・課金データ送信手段による前記端末への前記属性・課金データの送信後に該端末から該属性・課金データを受け付けた際に、該属性・課金データに含まれる課金情報を決済する決済手段と、
前記決済手段で決済した際に、前記変更された属性情報を反映した画像を前記端末に送信する画像送信手段と
を具備することを特徴とする画像処理装置。
【請求項２】
前記属性・課金データ送信手段は、
前記属性・課金データを前記端末宛の電子メールに添付して送信する
ことを特徴とする請求項１記載の画像処理装置。
【請求項３】
前記クライアントは画像入力装置であり、
前記画像は該画像入力装置で入力した入力画像であり、
前記属性情報は前記入力画像の入力パラメータ、加工、後処理、アクセス制御、保管期間、セキュリティを示すものである
ことを特徴とする請求項１記載の画像処理装置。
【請求項４】
ネットワークを介してクライアントと複数の端末と接続する画像処理装置において、
前記クライアントから送信された画像と、画像に設定された属性データを格納するファイルシステムと、
前記端末から前記属性データの変更の指示を受け付けた際に、該指示に従う属性データの変更を行う属性データ変更手段と、
前記属性データ変更手段で変更した属性データを前記端末に前記ネットワークを介して送信する属性データ送信手段と、
前記属性データ送信手段による前記端末への前記属性データの送信後に該端末から該属性データを受け付けた際に、該属性データに基づいて決定される課金情報を決済する決済手段と、
前記決済手段で決済した際に、前記変更された属性データを反映した画像を前記端末に送信する画像送信手段と
を具備することを特徴とする画像処理装置。
【請求項５】
ネットワークを介してクライアントと複数の端末と接続する画像処理装置の課金処理方法において、
前記クライアントから送信された画像と、画像に設定された属性情報と、該属性情報に応じた課金情報とを含む属性・課金データとをファイルシステムに格納し、
前記端末から前記属性情報の変更の指示を受け付けた際に、該指示に従う属性情報の変更、および該属性情報の変更に応じた課金情報の変更に伴い、前記属性・課金データの変更を属性・課金データ変更手段により行い、
該変更した属性・課金データを属性・課金データ送信手段により前記端末に前記ネットワークを介して送信し、
前記端末への前記属性・課金データの送信後に該端末から該属性・課金データを受け付けた際に、該属性・課金データに含まれる課金情報を決済手段により決済し、
該決済した際に、前記変更された属性情報を反映した画像を画像送信手段により前記端末に送信する
ことを特徴とする画像処理装置の課金処理方法。
【請求項６】
前記属性・課金データ送信手段は、
前記属性・課金データを前記端末宛の電子メールに添付して送信する
ことを特徴とする請求項５記載の画像処理装置の課金処理方法。
【請求項７】
前記クライアントは画像入力装置であり、
前記画像は該画像入力装置で入力した入力画像であり、
前記属性情報は前記入力画像の入力パラメータ、加工、後処理、アクセス制御、保管期間、セキュリティを示すものである
ことを特徴とする請求項５記載の画像処理装置の課金処理方法。
【請求項８】
ネットワークを介してクライアントと複数の端末と接続する画像処理装置の課金処理方法において、
前記クライアントから送信された画像と、画像に設定された属性データをファイルシステムに格納し、
前記端末から前記属性データの変更の指示を受け付けた際に、該指示に従う属性データの変更を属性データ変更手段により行い、
該変更した属性データを前記端末に前記ネットワークを介して属性データ送信手段により送信し、
前記端末への前記属性データの送信後に該端末から該属性データを受け付けた際に、該属性データに基づいて決定される課金情報を決済手段により決済し、
該決済した際に、前記変更された属性データを反映した画像を画像送信手段により前記端末に送信する
ことを特徴とする画像処理装置の課金処理方法。
【発明の詳細な説明】
【技術分野】
【０００１】
本発明は、画像処理装置およびその課金処理方法に関し、特に、画像入力装置から受け取ったスキャン画像を端末に提供する画像処理装置およびその課金処理方法に関する。
【背景技術】
【０００２】
近年では、コンビニエンスストア、コピーセンタ等の店舗にカラー複合機を設置し、利用者からその使用の対価を得るサービスがある。これは、利用者がコピー印刷対象となる原稿を持参してカラー複合機を設置した店舗に赴き、利用者がコピー印刷操作を行い、コピー印刷した枚数による料金を支払うサービスが実現化されている。
【０００３】
更に、カラー複合機のコピー機能を利用するサービスだけでなく、利用者が原稿を持参してカラー複合機を設置した店舗に赴き、利用者が原稿スキャンによるデジタル画像データの入力を行い、入力を行ったデジタル画像データの数による料金を支払うサービスが実現化されている。
【０００４】
例えば、ＩＤ番号等により特定のユーザであることを判別し、特定ユーザに対しては、課金を減額したり、個別の情報等を付加できるようにする画像処理装置がある（例えば、特許文献１参照。）。
【０００５】
また、例えば、原稿をスキャンして課金前にスキャン画像をサーバに登録し、ユーザが登録時に変換属性を指定することで決定するデータ量、および変更可能な保存期間に応じて料金が算出され、料金の徴収が確認されると、サーバ上のスキャン画像が利用可能になる画像読み取りシステム、画像読み取り装置および処理方法がある（例えば、特許文献２参照。）。
【特許文献１】特開２００２−２０９０５０号公報
【特許文献２】特開２００３−２１９１０１号公報
【発明の開示】
【発明が解決しようとする課題】
【０００６】
しかし、特許文献１に記載の技術および特許文献２に記載の技術では、ユーザがスキャンした画像に対して、追加料金の必要な付加価値の高い後処理（例えば、ＯＣＲ等）を適用させて、その処理結果の入手を目的とする場合に、ユーザが後処理の追加・削除を指定するタイミングの自由度が低かった。また、後処理の追加・削除に伴う課金の増減に対応させて、料金の徴収を柔軟に実施する仕組みがなかった。
【０００７】
そこで、本発明は、上記問題点を鑑み、店舗に設置した複合機を用いて、様々な後処理を追加することを可能にし、更に、ユーザの利用状況に応じた柔軟な課金処理を実現することを可能にし、ユーザが、スキャンした画像に画像に対して追加料金の必要な付加価値の高い後処理の追加・削除を何時でも可能にし、更に、それに伴う課金の増減に応じて、料金の徴収を柔軟に実施することを可能にする画像処理装置およびその課金処理方法を提供することを目的とする。
【課題を解決するための手段】
【０００８】
上記目的を達成するため、請求項１の発明は、ネットワークを介してクライアントと複数の端末と接続する画像処理装置において、前記クライアントから送信された画像と、画像に設定された属性情報と、該属性情報に応じた課金情報とを含む属性・課金データとを格納するファイルシステムと、前記端末から前記属性情報の変更の指示を受け付けた際に、該指示に従う属性情報の変更、および該属性情報の変更に応じた課金情報の変更に伴い、前記属性・課金データの変更を行う属性・課金データ変更手段と、前記属性・課金データ変更手段で変更した属性・課金データを前記端末に前記ネットワークを介して送信する属性・課金データ送信手段と、前記属性・課金データ送信手段による前記端末への前記属性・課金データの送信後に該端末から該属性・課金データを受け付けた際に、該属性・課金データに含まれる課金情報を決済する決済手段と、前記決済手段で決済した際に、前記変更された属性情報を反映した画像を前記端末に送信する画像送信手段とを具備することを特徴とする。
【０００９】
また、請求項２の発明は、請求項１の発明において、前記属性・課金データ送信手段は、前記属性・課金データを前記端末宛の電子メールに添付して送信することを特徴とする。
【００１０】
また、請求項３の発明は、請求項１の発明において、前記クライアントは画像入力装置であり、前記画像は該画像入力装置で入力した入力画像であり、前記属性情報は前記入力画像の入力パラメータ、加工、後処理、アクセス制御、保管期間、セキュリティを示すものであることを特徴とする。
【００１１】
また、請求項４の発明は、ネットワークを介してクライアントと複数の端末と接続する画像処理装置において、前記クライアントから送信された画像と、画像に設定された属性データを格納するファイルシステムと、前記端末から前記属性データの変更の指示を受け付けた際に、該指示に従う属性データの変更を行う属性データ変更手段と、前記属性データ変更手段で変更した属性データを前記端末に前記ネットワークを介して送信する属性データ送信手段と、前記属性データ送信手段による前記端末への前記属性データの送信後に該端末から該属性データを受け付けた際に、該属性データに基づいて決定される課金情報を決済する決済手段と、前記決済手段で決済した際に、前記変更された属性データを反映した画像を前記端末に送信する画像送信手段とを具備することを特徴とする。
【００１２】
また、請求項５の発明は、ネットワークを介してクライアントと複数の端末と接続する画像処理装置の課金処理方法において、前記クライアントから送信された画像と、画像に設定された属性情報と、該属性情報に応じた課金情報とを含む属性・課金データとをファイルシステムに格納し、前記端末から前記属性情報の変更の指示を受け付けた際に、該指示に従う属性情報の変更、および該属性情報の変更に応じた課金情報の変更に伴い、前記属性・課金データの変更を属性・課金データ変更手段により行い、該変更した属性・課金データを属性・課金データ送信手段により前記端末に前記ネットワークを介して送信し、前記端末への前記属性・課金データの送信後に該端末から該属性・課金データを受け付けた際に、該属性・課金データに含まれる課金情報を決済手段により決済し、該決済した際に、前記変更された属性情報を反映した画像を画像送信手段により前記端末に送信することを特徴とする。
【００１３】
また、請求項６の発明は、請求項５の発明において、前記属性・課金データ送信手段は、前記属性・課金データを前記端末宛の電子メールに添付して送信することを特徴とする。
【００１４】
また、請求項７の発明は、請求項５の発明において、前記クライアントは画像入力装置であり、前記画像は該画像入力装置で入力した入力画像であり、前記属性情報は前記入力画像の入力パラメータ、加工、後処理、アクセス制御、保管期間、セキュリティを示すものであることを特徴とする。
【００１５】
また、請求項８の発明は、ネットワークを介してクライアントと複数の端末と接続する画像処理装置の課金処理方法において、前記クライアントから送信された画像と、画像に設定された属性データをファイルシステムに格納し、前記端末から前記属性データの変更の指示を受け付けた際に、該指示に従う属性データの変更を属性データ変更手段により行い、該変更した属性データを前記端末に前記ネットワークを介して属性データ送信手段により送信し、前記端末への前記属性データの送信後に該端末から該属性データを受け付けた際に、該属性データに基づいて決定される課金情報を決済手段により決済し、該決済した際に、前記変更された属性データを反映した画像を画像送信手段により前記端末に送信することを特徴とする。
【発明の効果】
【００１６】
本発明によれば、店舗に設置した複合機を用いて、スキャンした画像に、様々な後処理を追加することを可能にするという効果を奏する。
【００１７】
更に、本発明によれば、ユーザの利用状況に応じた柔軟な課金処理を実現することを可能にするという効果を奏する。
【００１８】
更に、本発明によれば、ユーザが、スキャンした画像に対して追加料金の必要な付加価値の高い後処理の追加・削除を何時でも可能にし、それに伴う課金の増減に応じて、料金の徴収を柔軟に実施することを可能にするという効果を奏する。
【発明を実施するための最良の形態】
【００１９】
以下、本発明に係る画像処理装置およびその課金処理方法の実施の形態について添付図面を参照して詳細に説明する。
【００２０】
なお、本発明に係る画像処理装置およびその課金処理方法の実施の形態では、例えば、コンビニエンスストアに設置されているネットワーク接続されたスキャナ装置（例えば、カラー複写機）において、ユーザが原稿をスキャンして生成したスキャン画像を、ネットワーク上の画像処理サーバに送信して登録し、ネットワーク接続された他の場所のコンピュータからこのスキャン画像を利用できるようにするシステムを例とする。
【００２１】
図１は、本発明に係るシステム構成図である。
【００２２】
図１に示すように、画像処理サーバ１は店舗用ネットワーク２およびインターネット３に接続されている。店舗用ネットワーク２にはコンビニエンスストア等の各店舗に設置された画像処理クライアントとなるカラー複写機等のネットワークスキャナ４が接続され、インターネット３には端末であるパーソナルコンピュータ５（以後、ＰＣと称する）が接続されている。
【００２３】
このようなシステム構成において、画像処理サーバ１に特別な記憶領域を所有しないユーザ（以後、非登録ユーザと称する）であっても、店舗のネットワークスキャナ４で取り込んだ画像を画像処理サーバ１に登録でき、しかもこの画像にアクセス権を設定し、インターネット３に接続されたＰＣ５から利用できるようになっている。なお、画像処理サーバ１に特別な記憶領域を所有するユーザ（以後、登録ユーザと称する）と、非登録ユーザとで料金に差をつける構成も適用可能である。更に、非登録ユーザは即時登録ユーザに登録できる手段を提供する構成も適用可能である。
【００２４】
図２は、画像処理サーバ１の構成を説明するブロック図である。
【００２５】
図２に示すように、画像処理サーバ１は、システム制御部６、ファイルシステム７、属性・課金データ変更部８および送受信部９を備えている。すなわち、画像処理サーバ１は、図１に示すネットワークスキャナ４で読み込んだスキャン画像、このスキャン画像の宛先やアクセス権に関わる制御データ、およびこのスキャン画像に設定されたパラメータ、加工、後処理等に関わる属性情報とこの属性情報に応じた課金情報とを含む属性・課金データを店舗用ネットワーク２を介して送受信部９で受信し、ファイルシステム７に格納する。
【００２６】
また、画像処理サーバ１は、このスキャン画像に対応して送られる制御データを送受信部９からインターネット３を介して宛先として指定されたＰＣ５へ送信する。なお、この制御データの送信は、宛先となるＰＣ５へ電子メールの添付ファイルとして送る。
【００２７】
また、画像処理サーバ１は、ＰＣ５から送られる制御データを送受信部９で受信し、システム制御部６はこの制御データによるアクセス権を解析し、そのアクセス権に応じてスキャン画像をファイルシステム７からインターネット３を介して制御データの送信元となっているＰＣ５へ送信する。
【００２８】
また、画像処理サーバ１は、ＰＣ５から送られる属性情報の変更または追加の指示を送受信部９で受信し、属性・課金データ変更部８はこの指示に従って属性情報の変更または追加を行い、これに応じて課金情報を変更し、変更または追加が行われた属性情報と、変更が行われた課金情報とを含む属性・課金データをインターネット３を介して制御データの送信元となっているＰＣ５へ送信する。そして、ＰＣ５から送られる属性・課金データに基づく決済を送受信部９で受信し、システム制御部６はこの決済を確認すると、所望のスキャン画像や後処理結果をインターネット３を介して制御データの送信元となっているＰＣ５へ送信する。
【００２９】
図３は、ネットワークスキャナ４の構成を説明するブロック図である。
【００３０】
図３に示すように、ネットワークスキャナ４は、スキャナ部１０、画像処理部１１、ファイルシステム１２、操作パネル１３、システム制御部１４、制御データ生成部１５、属性・課金データ生成部１６、送信部１７を備えている。また、システム制御部１４はコインキット１８と接続し、コインキット１８に投入された金額を受け取り、その金額がスキャンに必要な料金に達していることを確認すると、スキャン画像を画像処理サーバ１に送信する。
【００３１】
スキャナ部１０は、ユーザが用意した所望の原稿（画像）を画像データ（スキャン画像）として読み取る部分である。画像処理部１１は、スキャナ部１０で読み取った画像データに対して拡大、縮小、色合い、シャープネス等の所望の画像処理を施し、ファイルシステム１２に格納する部分である。
【００３２】
操作パネル１３は、ユーザによる各種の設定を受け付ける入力手段（タッチパネル、キースイッチ等）およびモニタから構成される。システム制御部１４は、各部を制御する部分である。制御データ生成部１５は、スキャナ部１０で読み取ったスキャン画像に対するアクセス権やスキャン画像の宛先に関する制御データを生成する部分である。属性・課金データ生成部１６は、スキャナ部１０で読み取ったスキャン画像に設定されたパラメータ、加工、後処理等に関わる属性情報とこの属性情報に応じた課金情報とを含む属性・課金データを生成する部分である。送信部１７は、スキャナ部１０で読み取ったスキャナ画像およびこのスキャナ画像に対応した制御データと属性・課金データとを店舗用ネットワーク２を介して画像処理サーバ１へ送信する処理を行う。
【００３３】
図４は、端末となるＰＣ５の構成を説明するブロック図である。
【００３４】
図４に示すように、ＰＣ５は、システム制御部１９、表示部２０、送受信部２１を備えている。システム制御部１９は、各部の制御を行なう。表示部２０は、受け取った電子メールの内容を表示したり、インターネット３を介してダウンロードしたＨＴＭＬ（Hyper Text Markup Language）等のデータを表示する部分である。
【００３５】
送受信部２１は、制御データ受信部２１１、制御データ送信部２１２、属性・課金データ受信部２１３、属性・課金データ送信部２１４、画像受信部２１５から構成される。このうち制御データ受信部２１１は、画像処理サーバ１からインターネット３を介して送られてくる制御データを電子メールの添付ファイルとして受信する部分である。また、制御データ送信部２１２は、電子メールの添付ファイルとして受け取った制御データをインターネット３を介して画像処理サーバ１へ送信する部分である。また、属性・課金データ受信部２１３は、画像処理サーバ１からインターネット３を介して送られてくる属性・課金データを電子メールの添付ファイルとして受信する部分である。また、属性・課金データ送信部２１４は、電子メールの添付ファイルとして受け取った属性・課金データをインターネット３を介して画像処理サーバ１へ送信する部分である。また、画像受信部２１５は、制御データに対応した画像を画像処理サーバ１からダウンロードして受け取る部分である。
【００３６】
本発明に係る実施の形態では、このような構成から成る画像処理サーバ１、ネットワークスキャナ４およびＰＣ５によってアクセス権の設定された画像の送受信を実現するものである。
【００３７】
次に、本発明に係る実施の形態の画像処理方法について図５に示すフローチャートを参照して説明する。なお、図５のフローチャートのうちステップＳ５０１〜Ｓ５０８まではネットワークスキャナによる処理、ステップＳ５０９〜Ｓ５１０およびステップＳ５１２は画像処理サーバによる処理、ステップＳ５１１およびステップＳ５１３はＰＣによる処理である。
【００３８】
先ず、ネットワークスキャナの操作パネルに表示されたメニュー画面からユーザがネットスキャンを選択すると（ステップＳ５０１）、操作パネルにはこれからスキャンするスキャン画像のパラメータ（以後、スキャンパラメータと称する）設定を行うための画面が表示される。ユーザは、スキャンパラメータとして、例えばカラーモード（フルカラー、グレイスケール、白黒２値等）や解像度、倍率、ファイル形式の設定を行う（ステップＳ５０２）。
【００３９】
次に、スキャナ部に原稿を載置してスキャンを行う（ステップＳ５０３）。スキャンしたスキャン画像はネットワークスキャナの画像処理部で所定の画像処理が施された後、ファイルシステムに格納され、属性・課金データ生成部がスキャンパラメータに関わる属性情報とこの属性情報に応じた課金情報とを含む属性・課金データを生成すると（ステップＳ５０４）、操作パネルにスキャンにかかった料金をコインキットに投入することをユーザに促す画面を表示し、ユーザは操作パネルに表示された料金分の硬貨（コインキットが紙幣対応ならば、紙幣でも良い）をコインキットに投入し、コインキットは投入された金額をシステム制御部に送信し、システム制御部はその金額がスキャンにかかった料金に達していることを確認すると（ステップＳ５０５）、操作パネルに宛先およびアクセス権の設定を行うための画面が表示され、ユーザは、スキャン画像の宛先となる電子メールアドレスを設定するとともに、このスキャン画像に対するアクセス権の設定を行う（ステップＳ５０６）。その後、ネットワークスキャナの制御データ生成部は、先にユーザが設定したスキャン画像の宛先（電子メールアドレス）やアクセス権に関する制御データを生成する（ステップＳ５０７）。次いで、ネットワークスキャナは、送信部から店舗用ネットワークを介して画像処理サーバにスキャン画像、スキャン画像に対応するに対応する制御データおよび属性・課金データを画像処理サーバに送信する。この際、制御データ、属性・課金データは暗号化して送信しても良い。
【００４０】
次に、店舗用ネットワークを介してネットワークスキャナから送信されたスキャン画像、制御データ、属性・課金データを画像処理サーバの送受信部で受信し、ファイルシステムに登録する（ステップＳ５０９）。続いて、画像処理サーバは、制御データを電子メールの添付ファイルとして宛先の電子メールアドレスに電子メールで送信する（ステップＳ５１０）。この電子メールはインターネットに接続された図示しない電子メールサーバに送られ、ＰＣで受け取ることになる。
【００４１】
次に、電子メールを受け取ったＰＣから電子メールに添付された制御データをインターネットを介して画像処理サーバに送信する（ステップ５１１）。画像処理サーバはＰＣから送られてきた制御データを受け取り、制御データから対応するスキャン画像およびアクセス権を解析する。そして、制御データに対応するスキャン画像をファイルシステムから読み出し、インターネットを介して制御データの送信元となるＰＣに送信する（ステップＳ５１２）。ＰＣでは、アクセス権に基づくスキャン画像の処理を行うことが可能となる（ステップＳ５１３）。
【００４２】
次に、図５に示すフローチャートのステップＳ５１３のスキャン画像の処理について図６に示すフローチャートを参照して説明する。なお、図６のフローチャートのうちステップＳ６０１およびステップＳ６０５〜ステップＳ６０６まではＰＣによる処理、ステップＳ６０２〜Ｓ６０４は画像処理サーバによる処理である。
【００４３】
先ず、ユーザはＰＣのブラウザを用い、スキャン画像の格納場所にインターネット経由でアクセスし、アクセス権に基づくスキャン画像の処理を行うブラウザ画面から属性情報の変更または追加の指示をインターネットを介して画像処理サーバに送信する（ステップＳ６０１）。
【００４４】
画像処理サーバはＰＣから送られてきた属性情報の変更または追加の指示を受け取り、この指示に従って属性情報の変更または追加を行い、これに応じて課金情報を変更することで、属性・課金データの変更を行う（ステップＳ６０２）。そして、属性情報の変更または追加に対応するスキャン画像のパラメータ変更、加工、後処理等の追加処理を行う（ステップＳ６０３）。なお、これらの追加処理は画像処理サーバ自身で行っても良いし、店舗用ネットワークに接続された図示しない追加処理用専門サーバで行っても良い。そして、変更した属性・課金データを電子メールの添付ファイルとして宛先の電子メールアドレスに電子メールで送信する（ステップＳ６０４）。
【００４５】
ＰＣは画像処理サーバから送られてきた属性・課金を添付ファイルとする電子メールを受け取り、属性・課金データを画像処理サーバに提示して決済する（ステップＳ６０５）。そして、ＰＣは追加処理されたスキャン画像および他の処理結果情報を入手することができるようになる（ステップＳ６０６）。
【００４６】
次に、上記のようなスキャン画像の処理を図７〜図１０に示す画面の遷移に沿って説明する。
【００４７】
先ず、ユーザはＰＣのブラウザを用い、スキャン画像の格納場所にインターネット経由でアクセスする。図７は、スキャン画像の格納場所にアクセスした際のブラウザ画面の一例を示す図である。
【００４８】
図７に示すブラウザ画面では、スキャン画像のダウンロード、スキャン画像の編集、スキャン画像のその他属性（つまり、属性情報）の変更、スキャン画像の削除の処理を行うことができる。
【００４９】
ここで、図７に示す「その他属性変更」のボタンを押下等すると、図８に示すブラウザ画面が表示される。
【００５０】
図８は、スキャン画像のその他属性の変更を行うブラウザ画面の一例を示す図である。
【００５１】
図８に示すブラウザ画面では、スキャン画像の属性である原稿サイズ、カラーモード、解像度、ファイルフォーマット等を変更することができる。例えば、図８に示すブラウザ画面において、原稿サイズは「Ａ４」に設定されているが、ユーザの所望により「Ａ３」、「Ｂ４」、「Ｂ５」、「Ａ５」、「その他」に変更することができ、更に、カラーモードは「フルカラー」に設定されているが、ユーザの所望により「グレイスケール」、「白黒」に変更することができ、更に、解像度は「６００ｄｐｉ」に設定されているが、ユーザの所望により「４００ｄｐｉ」、「３００ｄｐｉ」、「２００ｄｐｉ」に変更することができ、更に、ファイルフォーマットは「ＪＰＥＧ」に設定されているが、ユーザの所望により「ＴＩＦＦ」、「ＰＤＦ」、「オプション」に変更することができる。
【００５２】
なお、上記以外のスキャン画像の属性として、
スキャン画像のパラメータ：圧縮率
スキャン画像の加工：編集（トリミング、回転等）、スキャン画像合成、画質調整
スキャン画像の後処理：ＯＣＲ、翻訳、特徴点抽出、画像比較・マッチング、画像解析処理
スキャン画像のアクセス制御：メール通知先やアクセス権の追加・削除・変更、通知メールの仕様、メール通知の数、アクセス権別（フルアクセス、読み取り専用等）による課金、ユーザへの通知方法（通知メール本文有り、サムネイル画像添付、圧縮スキャン画像添付、音声ファイル添付等）、スキャン画像の有効期限
スキャン画像のセキュリティ：スキャン画像の暗号化、完全消去
がある。
【００５３】
そして、図８に示すブラウザ画面でスキャン画像の属性を変更し、「送信」のボタンを押下等すると、変更された属性情報が画像処理サーバに送信され、画像処理サーバが変更された属性情報に基づいて属性・課金データの変更を行うと、画像処理サーバからＰＣに図９に示す電子メールが送られてくる。
【００５４】
図９は、画像処理サーバから送られてきた属性・課金データを添付ファイルとした電子メールの一例を示す図である。
【００５５】
図９に示す電子メールには、図８に示すブラウザ画面上で変更した属性情報に従って追加処理したスキャン画像について記載され、その追加処理に伴って変更された属性・課金データが添付されている。例えば、図９に示す電子メールには、スキャン画像に対してＯＣＲおよびＰＤＦへのファイルフォーマットの追加処理が行われたとともに、そのスキャン画像の有効期限を当初の有効期限から５日延長したことが記載され、これらの追加処理にかかる料金が８５０円であることが記載され、この追加処理したスキャン画像を取得するためのアクセス場所（ＵＲＬ）が記載されている。
【００５６】
そして、ユーザは電子メールに添付されている属性・課金データをＰＣに保存し、ＰＣのブラウザを用い、電子メールに記載されたスキャン画像を取得するためのＵＲＬにインターネット経由でアクセスすると、図１０に示すブラウザ画面が表示される。
【００５７】
図１０は、スキャン画像の追加処理にかかる料金の決済を行うブラウザ画面の一例を示す図である。
【００５８】
図１０に示すブラウザ画面では、図９に示す電子メールに添付された属性・課金データを画像処理サーバに送信することで、スキャン画像の追加処理にかかる料金の決済を行うことができ、追加処理したスキャン画像をＰＣにダウンロードすることができる。なお、料金の決済方法として、上述のような画像処理サーバに登録したスキャン画像に対して追加処理を行う場合は、予めスキャン画像処理システムに登録した登録ユーザを対象に、その登録ユーザが指定する口座から定期的に料金を引き落とす方法がある。ただし、登録ユーザの希望する様々な決済方法を選択させるようにしても良い。また、予めスキャン画像処理システムに登録していない非登録ユーザが決済可能な方法を提供しても良い。
【００５９】
なお、上記で説明した例は、属性情報変更による課金についての一般的な一例であり、その他にも、様々な方法で、属性情報変更による課金を実現することができる。例えば、上記の実施例は、属性情報の変更の時点で課金額を決定する構成であるが、決済の時点で課金額を決定する構成も適用可能である。この構成では、ネットワークスキャナは属性データのみ生成し、画像処理サーバもファイルシステムに格納するのは属性データのみであり、画像処理サーバは属性データが変更される度に課金データを生成することになる。
【００６０】
なお、上記で説明した制御データは、宛先およびアクセス権に関するデータから構成しているが、他のデータを制御データに取り込んでも良い。例えば、ネットワークスキャナが設置されている場所（地域や店番号）、店舗番号、機械番号、日時、スキャンジョブ番号、ユーザが設定したパスワード、画像が複数ページで構成される場合のページ毎のアクセス権等を埋め込むことで、スキャン画像を取り込んだ場所を容易に特定することができ、何処から送信したスキャン画像であるかを容易に把握することができるようになる。
【００６１】
また、上記で説明した制御データに属性・課金データを取り込んでも良い。
【００６２】
また、スキャン画像および他の処理結果情報の宛先となる端末としてインターネットに接続されたＰＣを一例としたが、ＰＤＡ等の携帯端末や携帯電話機等であっても可能であり、更に、上記説明で用いたネットワーク（店舗用ネットワーク、インターネット）としては、これら以外のネットワークであっても良い。
【図面の簡単な説明】
【００６３】
【図１】本発明に係るのシステム構成図である。
【図２】画像処理サーバ１の構成を説明するブロック図である。
【図３】ネットワークスキャナ４の構成を説明するブロック図である。
【図４】端末となるＰＣ５の構成を説明するブロック図である。
【図５】本発明に係る実施の形態の画像処理方法を示すフローチャートである。
【図６】図５に示すフローチャートのステップＳ５１３のスキャン画像の処理を示すフローチャートである。
【図７】スキャン画像の格納場所にアクセスした際のブラウザ画面の一例を示す図である。
【図８】スキャン画像のその他属性の変更を行うブラウザ画面の一例を示す図である。
【図９】画像処理サーバから送られてきた属性・課金データを添付ファイルとした電子メールの一例を示す図である。
【図１０】スキャン画像の追加処理にかかる料金の決済を行うブラウザ画面の一例を示す図である。
【符号の説明】
【００６４】
１    画像処理サーバ
２    店舗用ネットワーク
３    インターネット
４    ネットワークスキャナ
５    ＰＣ
６    システム制御部
７    ファイルシステム
８    属性・課金データ変更部
９    送受信部
１０    スキャナ部
１１    画像処理部
１２    ファイルシステム
１３    操作パネル
１４    システム制御部
１５    制御データ生成部
１６    属性・課金データ生成部
１７    送信部
１８    コインキット
１９    システム制御部
２０    表示部
２１    送受信部
２１１    制御データ受信部
２１２    制御データ送信部
２１３    属性・課金データ受信部
２１４    属性・課金データ送信部
２１５    画像受信部
【図１】
2006092304.tif 000003
【図２】
2006092304.tif 000004
【図３】
2006092304.tif 000005
【図４】
2006092304.tif 000006
【図５】
2006092304.tif 000007
【図６】
2006092304.tif 000008
【図７】
2006092304.tif 000009
【図８】
2006092304.tif 000010
【図９】
2006092304.tif 000011
【図１０】
2006092304.tif 000012